(57)【要約】【課題】靴用脱臭器の構造を簡素で小型なものとし、脱臭効率もよくすることができ、使用場所も制限されず利便性に優れる靴用脱臭器を提供することを目的としている。【解決手段】吸気口７及び排気口１１を有する本発明における筐体となる本体部１の内部に、交換可能な脱臭フィルター９、モーター駆動ファン６、電池収納部１２、ファン駆動時間管理用のタイマー５を組込み、少なくとも上記吸気口７、脱臭フィルター９、モーター駆動ファン６、排気口１１を直線上に配置したことにより構造は簡素且つ小型なものとなった。コードレスで使用できるため使用場所も制限されず利便性に優れる。【選択図】図１
2009011773.tif 000002
【特許請求の範囲】
【請求項１】
吸気口及び排気口を有する筐体の内部に、交換可能な脱臭フィルター、モーター駆動ファン、電池収納部、ファン駆動時間管理用のタイマーを組込み、少なくとも上記吸気口、脱臭フィルター、モーター駆動ファン、排気口を直線上に配置したことを特徴とする靴用脱臭器。
【請求項２】
上記脱臭フィルターは、脱臭能力を再生する機能を有する光触媒を含有させたことを特徴とする請求項１記載の靴用脱臭器。
【請求項３】
上記筐体は、成形材料に抗菌剤を含有させたことを特徴とする請求項１、又は請求項２記載の靴用脱臭器。
【請求項４】
上記筐体吸気口側内側部に、整流板を設けたことを特徴とする請求項１、又は請求項２、又は請求項３記載の靴用脱臭器。
【請求項５】
上記筐体形状は、人の足の形を模倣したものであって、長さ、厚さ、幅を一般成人女性の足のサイズより小さくした請求項１、又は請求項２、又は請求項３、又は請求項４記載の靴用脱臭器。
【請求項６】
靴用脱臭器は、左右一組からなるものであって、靴内に装着した場合、足を挿入する靴開口部から僅かに突出する長さの調整可能な伸縮棒が、上記筐体上部に着脱可能とされた請求項１、又は請求項２、又は請求項３、又は請求項４、又は請求項５記載の靴用脱臭器。
【請求項７】
上記伸縮棒は、上記筐体１個に対し１本使用するものであり、該伸縮棒は、左右端部に伸縮棒の固定機能を、中央部にブーツの固定機能を有する３点固定型クリップに連結固定されて、左右ブーツの型崩れを防止するものである請求項６記載の靴用脱臭器。
【発明の詳細な説明】
【技術分野】
【０００１】本発明は、靴用脱臭器として開発し、主としてブーツ内の脱臭を主目的とし、併せて短靴にも使用可能な靴用脱臭器に関する。
【背景技術】
【０００２】従来より、靴内部に挿入し靴内の異臭及び悪臭を除去する脱臭器及びブーツ形状保持具は、提案されていた。【０００３】特許文献１及び特許文献２は、オゾン生成、殺菌ランプ、紫外線発生、インバーター回路装置を必要とし、構造が複雑である。また、電源、ケーブルは外付けで使用場所が制限され利便性に欠ける。【０００４】特許文献３は、形状が大きくコンパクト化されていない。更に、脱臭機能も活性炭を差込タイプで空気循環も悪く脱臭効率が悪い。
【特許文献１】特開２０００−２２９１１５号  公開特許公報
【特許文献２】特開平１１−１０４２２３号  公開特許公報
【特許文献３】特開２００６−１９８０５５号  公開特許公報
【発明の開示】
【発明が解決しようとする課題】
【０００５】本発明は上記のような従来の課題を解決するものであり、構造は簡素で小型化なものとし、脱臭効率も良くすることができ、使用場所も制限されず、利便性に優れる靴用脱臭器を提供することを目的とする。
【課題を解決するための手段】
【０００６】第１の発明は、吸気口および排気口を有する筐体の内部に、交換可能な脱臭フィルター、モーター駆動ファン、電池収納部、ファン駆動時間管理用のタイマーを組込み、上記吸気口、脱臭フィルター、モーター駆動ファン、排気口を直線上に構成したものである。【０００７】第２の発明は、第１の発明の改良に関するものであって、第１の発明における脱臭フィルターに、脱臭能力を再生する機能を有する光触媒を含有させたことで、長期間に渡る脱臭能力を付加した靴用脱臭器である。【０００８】第３の発明は、第１の発明、又は第２の発明の改良に関するものであって、筐体成形材料に、抗菌剤を含有させたことにより、靴内で異臭及び悪臭を発生する菌に対して抗菌力を付加した靴用脱臭器である。【０００９】第４の発明は、第１の発明、又は第２の発明、又は第３の発明の改良に関するものであって、筐体吸気口部内側に整流板を設ける手段を付加した靴用脱臭器である。【００１０】第５の発明は、第１の発明、又は第２の発明、又は第３の発明、又は第４の発明の改良に関するものであって、筐体形状が人の足の形を模倣したものであって、長さ、厚さ、幅を一般成人女性の足のサイズより小さくした手段を付加した靴用脱臭器である。【００１１】第６の発明は、第１の発明、又は第２の発明、又は第３の発明、又は第４の発明、又は第５の発明の改良に関するものである。靴用脱臭器は、左右一組からなるものであって、靴内に装着した場合、足を挿入する靴開口部から僅かに突出する長さの調整可能な伸縮棒が、上記筐体上部に着脱可能とされる手段を付加した靴用脱臭器である。【００１２】第７の発明は、第６の発明の改良に関するものであって、上記伸縮棒が、上記筐体１個に対し１本使用するものであり、該伸縮棒は、左右端部に伸縮棒の固定機能を、中央部にブーツの固定機能を有する３点固定型クリップに連結固定して、左右ブーツの型崩れを防止する手段を付加した靴用脱臭器である。
【発明の効果】
【００１３】第１の発明の効果であるが、吸気口および排気口を有する筐体の内部に、交換可能な脱臭フィルター、モーター駆動ファン、電池収納部、ファン駆動時間管理用のタイマーを組込み、上記吸気口、脱臭フィルター、モーター駆動ファン、排気口を直線上に構成したことで、靴内の異臭及び悪臭を素早く経済的に除去することが可能である。即ち、ファン駆動時間管理用のタイマーの設置により余剰のエネルギーを消費しないのである。【００１４】第２の発明の効果であるが、上記脱臭フィルターは、脱臭能力を再生する機能を有する光触媒を含有させたことで長期間に渡り脱臭能力の持続を可能とすることができる。【００１５】第３の発明の効果であるが、上記筐体は、成形材料に抗菌剤を含有させたことにより靴内で異臭及び悪臭を発生する菌に対して抗菌が可能である。【００１６】第４の発明の効果であるが、当該靴用脱臭器は、筐体吸気口部内側に整流板を設けたことにより異臭及び悪臭を均一に分散してフィルターに吸着し偏りなく効果的な脱臭が可能である。【００１７】第５の発明の効果であるが、上記筐体形状は、人の足の形を模倣したものであって、長さ、厚さ、幅を一般成人女性の足のサイズ（長さ約２３０ｍｍ，幅約８０ｍｍ）より小さくしたことにより靴内側壁と密着しないため靴内部の効率的な空気循環が可能である。【００１８】第６の発明の効果であるが、靴用脱臭器は、左右一組からなるものであって、靴内に装着した場合、足を挿入する靴開口部から僅かに突出する長さの調整可能な伸縮棒が、上記筐体上部に着脱が可能である。【００１９】第７の発明の効果であるが、上記伸縮棒は、上記筐体１個に対し１本使用するものであり、該伸縮棒は、左右端部に伸縮棒の固定機能を、中央部にブーツの固定機能を有する３点固定型クリップに連結固定されて、左右ブーツの型崩れを防止することが可能である。【００２０】本発明は、強制的に紫外線、オゾンを発生させることがなく環境に配慮した靴用脱臭器である。
【発明を実施するための最良の形態】
【００２１】以下、本発明の実施形態を図面に従って説明する。
図１は第１実施例を示す。
図１に示す様に本靴用脱臭器は、左右一組で用いられるものであって、ブーツ４内に装填され、ブーツ４の脱臭および型崩れ防止を行うものである。当該脱臭器は靴内の空気循環を良くするためブーツ４内の側壁に密着しない様に、長さ、厚さ、幅を一般成人女性の足のサイズ（長さ約２３０ｍｍ，幅約８０ｍｍ）より小さくコンパクトに形成されている。【００２２】当該脱臭器は本発明における筐体となる左右一組の本体部１と、左右一組の伸縮棒２と、クリップ３とで構成されている。【００２３】図１に示す様に伸縮棒２は、足を挿入する靴開口部から僅かに突出する長さに調整可能であり、ブーツに固定した上記クリップ３と連結固定したことにより伸縮棒２が支柱になるため、脛部１６（ここで「脛部１６」とは、膝から足首までの部分をいう）の長いブーツ及び短いブーツの脛部１６の折れによる型崩れを防止できる構造に形成されている。【００２４】本体部１と伸縮棒２は、冶具を必要としない軽度な力で着脱できる。但し、当該脱臭器のブーツ４への挿入方向、離脱方向の力では接合部は外れない構造に形成されている。【００２５】図４に示す様にクリップ３は、左右端部に本体部１に装着した伸縮棒２を固定し、中央部でブーツ４を連結固定する構造に形成されている。【００２６】ファン駆動時間管理用のタイマー５を作動させることによりモーター駆動ファン６が回転する。モーター駆動ファン６によって吸気口７より異臭及び悪臭を吸気する構造に形成されている。【００２７】本体内部吸気口７側には図２に示すように整流板８が設置されていて、整流板８後方（図２中８の右方）の脱臭フィルター９に異臭及び悪臭が均一に接触及び通過するように調整される構造に形成されている。【００２８】脱臭フィルター９は本体部１中央部にフィルターケース１０に収納され、図３に示すよう引出し方式のため本体部１を分解することなく容易に脱臭フィルター９が交換可能な構造に形成されている。【００２９】脱臭フィルター９を通過した異臭及び悪臭はモーター駆動ファン６によって排気口１１より排気される構造に形成されている。【００３０】本体部１の電池収納部１２とフタ１３は軽度な力で装着でき、フタ１３に有するロック解除機能でフタ１３が外れ、簡単に電池１４の交換が可能な構造に形成されている。【００３１】当該脱臭器は、電源が単三電池１４を使用する。そのため、コードレスで使用でき場所を限定することなく利便性に優れる構造に形成されている。【００３２】当該脱臭器は、図２に示す様に足の裏側に当たる部位に吸気口７、整流板８、脱臭フィルター９、モーター駆動ファン６、排気口１１を順次直線的に配置し、これらの上方部である足首に当たる部位に、ファン駆動時間管理用のタイマー５、電池収納部１２を配置した。吸気口７から排気口１１を直線上に配置したことにより靴内の空気循環が効率的に行われる構造に形成されている。【００３３】図５は第２実施を示す。
図５に示すように本靴用脱臭器は短靴１５内に装填され、第１実施例同様に実施される。
【図面の簡単な説明】
【００３４】
【図１】第１実施例の使用状態を示す斜視説明図。
【図２】靴用脱臭器の断面説明図。
【図３】脱臭フィルターのフィルターケースを取出した状態を示す斜視説明図。
【図４】伸縮棒とクリップ及びブーツの固定状態を示す説明図
【図５】第２実施例の使用状態を示す側面説明図。
【符号の説明】
【００３５】１    本体部
２    伸縮棒
３    クリップ
４    ブーツ
５    タイマー
６    モーター駆動ファン
７    吸気口
８    整流板
９    脱臭フィルター
１０  フィルターケース
１１  排気口
１２  電池収納部
１３  フタ
１４  電池
１５  短靴
１６  脛部
【図１】
2009011773.tif 000003
【図２】
2009011773.tif 000004
【図３】
2009011773.tif 000005
【図４】
2009011773.tif 000006
【図５】
2009011773.tif 000007